(57)【要約】【課題】  本発明は、走行車輪の前方に耕耘爪を設けるいわゆるフロントロータリ型の歩行型耕耘機において、走行車輪の左右内側に畝を形成することを課題とする。【解決手段】  左右一対の走行車輪（４）の前側に耕耘爪（５）を備える歩行型耕耘機において、耕耘爪（５）の上方を耕耘カバー（６）で覆い、走行車輪（４）と耕耘爪（５）にそれぞれ伝動する伝動ケース（７）を左右の走行車輪間の左右中央部に設け、走行車輪（４）と耕耘爪（５）の間に畝立板（１１）を設け、畝立板（１１）は伝動ケース（７）の左右両側部にそれぞれ設け、左右の畝立板（１１）の左右内側には、左右対称形状の内盛用の畝成形部（Ｓ）をそれぞれ形成し、左右の畝立板（１１）はそれぞれ耕耘カバー（６）の後部に取り付け、横軸芯に回動する構成とし、畝立作業時の姿勢、又は耕耘作業時の姿勢に切換可能に構成したことを特徴とする。【選択図】  図５
2015008679.tif 000002
【特許請求の範囲】
【請求項１】
左右一対の走行車輪の前側に耕耘爪を備える歩行型耕耘機において、
耕耘爪の上方を耕耘カバーで覆い、
走行車輪と耕耘爪にそれぞれ伝動する伝動ケースを左右の走行車輪間の左右中央部に設け、
走行車輪と耕耘爪の間に畝立板を設け、
畝立板は伝動ケースの左右両側部にそれぞれ設け、左右の畝立板の左右内側には、左右対称形状の内盛用の畝成形部をそれぞれ形成し、
左右の畝立板はそれぞれ耕耘カバーの後部に取り付け、横軸芯に回動する構成とし、畝立作業時の姿勢、又は耕耘作業時の姿勢に切換可能に構成したことを特徴とする歩行型耕耘機。
【請求項２】
左右の畝立板のいずれか一方に畝立板を回動させる操作具を取り付けると共に、左右の畝立板を連結部材で連結することを設けたことを特徴とする請求項１記載の歩行型耕耘機。
【請求項３】
伝動ケースの後方に、畝立板で成形した畝の上面を均す畝均し体を設け、畝均し体は伝動ケースに取り付けると共に、横軸心に回動する構成とし、畝立作業時の姿勢、又は耕耘作業時の姿勢に切換可能に構成したことを特徴とする請求項１又は請求項２記載の歩行型耕耘機。
【発明の詳細な説明】
【技術分野】
【０００１】
本発明は、走行車輪の前に耕耘爪を設けるいわゆるフロントロータリ型の歩行型耕耘機に関する。
【背景技術】
【０００２】
特許文献１には走行車輪と耕耘爪との間に畝立板（培土板）を設けるフロントロータリ型の歩行型耕耘機に関する技術が記載されている。
【先行技術文献】
【特許文献】
【０００３】
【特許文献１】特開２０１０−１６６８４９号公報
【発明の概要】
【発明が解決しようとする課題】
【０００４】
特許文献１における培土板は走行車体の左右外側に畝を形成するいわゆる外盛用の歩行型耕耘機である。本願発明は、走行車輪の前方に耕耘爪を設けるいわゆるフロントロータリ型の歩行型耕耘機において、走行車輪の左右内側に畝を形成することを課題とする。
【課題を解決するための手段】
【０００５】
本発明は、かかる課題を解決するために次のような技術的手段を講ずる。
請求項１記載の発明は、左右一対の走行車輪（４）の前側に耕耘爪（５）を備える歩行型耕耘機において、耕耘爪（５）の上方を耕耘カバー（６）で覆い、走行車輪（４）と耕耘爪（５）にそれぞれ伝動する伝動ケース（７）を左右の走行車輪間の左右中央部に設け、走行車輪（４）と耕耘爪（５）の間に畝立板（１１）を設け、畝立板（１１）は伝動ケース（７）の左右両側部にそれぞれ設け、左右の畝立板（１１）の左右内側には、左右対称形状の内盛用の畝成形部（Ｓ）をそれぞれ形成し、左右の畝立板（１１）はそれぞれ耕耘カバー（６）の後部に取り付け、横軸芯に回動する構成とし、畝立作業時の姿勢、又は耕耘作業時の姿勢に切換可能に構成したことを特徴とする。
【０００６】
請求項２記載の発明は、左右の畝立板（１１）のいずれか一方に畝立板（１１）を回動させる操作具（１６）を取り付けると共に、左右の畝立板を連結部材（１２）で連結することを特徴とする請求項１記載の歩行型耕耘機とする。
【０００７】
請求項３記載の発明においては、伝動ケース（７）の後方に、畝立板（１１）で成形した畝（Ｕ）の上面を均す畝均し体（２２）を設け、畝均し体（２２）は伝動ケース（７）に取り付けると共に、横軸心に回動する構成とし、畝立作業時の姿勢、又は耕耘作業時の姿勢に切換可能に構成したことを特徴とする請求項１又は請求項２記載の歩行型耕耘機とする。
【発明の効果】
【０００８】
請求項１記載の発明により、走行車輪（４）の前方に耕耘爪（５）を設ける歩行型耕耘機において、走行車輪（４）の左右内側に畝（Ｕ）を形成することができる。また、畝（Ｕ）を形成しない耕耘作業を行うことができる。また、畝立板（１１）を伝動ケース（７）を挟んで左右分割構成にすることで、畝（Ｕ）を形成しない耕耘作業時に、畝立板（１１）を伝動ケース（７）に当接しないで畝立作用をしない高さ位置まであげることができる。
【０００９】
請求項２記載の発明により、左右の畝立板を一体に回動動作させることができる。
請求項３記載の発明により、畝立板で形成した畝の上面をきれいに均すことができる。
【図面の簡単な説明】
【００１０】
【図１】歩行型耕耘機の側面図
【図２】背面から見た畝立板を示す図
【図３】側面から見た畝立板の動作を示す図
【図４】背面から見た畝立板を示す図
【図５】歩行型耕耘機の側面図
【図６】背面から見た畝均し体を示す図
【図７】歩行型耕耘機の平面図
【図８】畝立板による整地作用を示す図
【発明を実施するための形態】
【００１１】
本発明の実施の形態の歩行型耕耘機について、以下説明する。
エンジン１及び燃料タンク２を機体フレーム３に搭載し、左右一対の走行車輪４を設け、走行車輪４の前方には多数の耕耘爪５からなり、耕耘軸５ａにより回転する耕耘部Ｋを設け、耕耘部Ｋの上方を耕耘カバー６で覆う。エンジン１の動力を走行車輪４及び耕耘爪５へ伝動する伝動装置（図示せず）を、伝動ケース７に内装し、伝動ケース７は走行車輪４間の左右中央ぶに設けている。走行車輪４に伝動する側の伝動ケース７の下端部７ａは走行車輪４の車軸３０よりも低い位置にあり、後端部７ｂは走行車輪４の車軸３０よりも後方位置にある。伝動ケース７の後部から斜め後方向に操作ハンドル８が延びる構成とし、操作ハンドル８に沿うように変速レバー３１を設けている。耕耘爪５の前方には案内輪９を設け、案内輪９は上下高さ調節機構１０により上下高さ位置を調節する構成である。
【００１２】
伝動ケース７の左右両側にそれぞれ平板状の左畝立板１１Ｌと右畝立板１１Ｒを設け、左畝立板１１Ｌと右畝立板１１Ｒを左右方向に延びる連結フレーム１２で連結する。そして、左畝立板１１Ｌ及び右畝立板１１Ｒは、耕耘カバー６の後部に取り付ける畝立板取付ブラケット１３（左ブラケット１３Ｌ及び右ブラケット１３Ｒ）を介してそれぞれ取り付け、左ヒンジ１４Ｌ及び右ヒンジ１４Ｒにより横軸心回りに一体となって回動自在に構成する。左畝立板１１Ｌ及び右畝立板１１Ｒは、耕耘カバー６から垂下した状態で、耕耘爪５と走行車輪４の車軸３０との間に位置する。左畝立板１１Ｌと右畝立板１１Ｒは左右内側にそれぞれいわゆる内盛用の畝成形部Ｓを形成し、左右対称形状としている。
【００１３】
本実施の形態の畝成形部Ｓは背面視で円弧状に形成することで、楕円形状の畝Ｕを形成する。以下、左畝立板１１Ｌと右畝立板１１Ｒの総称を畝立板１１と呼ぶ。
左畝立板１１Ｌには回動操作具１６の一端を操作具取付プレート３２を介して取り付け、回動操作具１６の他端を回動ブラケット１７に取り付ける。回動ブラケット１７は畝立板回動軸１８に対して回動する構成とし、回動ブラケット１７には畝立板１１の位置固定用のピン１９を取り付けている。畝立板回動軸１８は機体フレーム３に取り付ける機体ブラケット２０に取り付ける。機体ブラケット２０にはピン１９を挿入する位置決め用の孔２１を形成する。位置決め用の孔２１は畝立作業用の孔２１ａと耕耘作業用の孔２１ｂを設けている。
【００１４】
伝動ケース７の後方には畝立板１１で形成した畝Ｕの上面を均す畝均し体２２を設ける。畝均し体２２は多数の切れ目２３ａを形成する弾性部材２３と、円弧状に形成する剛性の均し体２４と、均し体２４を支持する均し体支持フレーム２５を備え、均し体支持フレーム２５を伝動ケース７に固定する均し体取り付けブラケット２６に取り付ける構成である。均し体支持フレーム２５は均し体取り付けブラケット２６に対し、畝均し体回動軸２８により横軸芯回りに回動自在に構成し、フック２７により、畝均し体２２を上方に回動した姿勢で位置固定可能に構成している。
【００１５】
次に畝立作業と耕耘作業について説明する。
畝立作業時には、機体ブラケット２０の畝立作業用の孔２１ａにピン２２を挿入して畝立板１１を垂下する姿勢とし、かつ、畝均し体２２を垂下する姿勢とする。そして、エンジン１を駆動し、走行車輪４と耕耘爪５を駆動して耕耘作業を開始する。耕耘爪５で耕耘され、耕耘された土が後方に送られて盛り上がる土を、畝立板１１の畝形成部Ｓで畝Ｕを形成する。畝Ｕは走行車輪４間に形成されるいわゆる内盛りの畝Ｕである。本実施の形態では、左畝立板１１Ｌと右畝立板１１Ｒの間が伝動ケース７により離間されており、伝動ケース７が形成される畝Ｕの上面に当接するため、伝動ケース７の後方の畝均し体２２で畝Ｕの上面を均し、畝Ｕの形状を良好にする。畝均し体２２は均し体２４が畝Ｕの上面に沿って前進すると共に、弾性部材２３が畝Ｕの上面で均し作用により後方に向かって折れ曲がることで、均し体２４で畝Ｕの上面を均した後にさらに均し作用がなされる。以上により良好な内盛の畝Ｕが形成される。
【００１６】
耕耘作業時には、回動操作具１６を把持し、畝立板１１を上方へ回動させ、機体ブラケット２０の耕耘作業用の孔２１ｂにピン２２を挿入する。すると、左右の畝立板１１は伝動ケース７の下端部７ａより上の位置にあって、前後方向に延びる姿勢、すなわち畝立板１１の正面側が下方に対向する位置で位置固定され、畝立板１１の下端部が後端部となって車輪４の車軸３０の下方に接近する位置となる。また、均し体支持フレーム２５を把持して畝均し体２２を上方に回動させ、フック２７で引っ掛けて位置固定する。エンジン１を駆動し、走行車輪４と耕耘爪５を駆動して耕耘作業を開始する。耕耘爪５で耕耘され、耕耘された土が後方に送られて盛り上がる土が畝立取付ブラケット１３及び畝立板１１により整地作用がなされる。
【００１７】
畝立板１１による整地作用について詳述する。
回動操作具１６を畝立板１１に取り付ける操作具取付プレート３２に長孔３３を形成することで、図８に示すように畝立板１１が上下方向に揺動可能に構成している。そのため、畝立板１１が土の作用に追従し、整地作用がなされる。左ヒンジ１４Ｌ及び右ヒンジ１４Ｒが車軸３０の軸芯位置より若干上方に位置し、畝立板１１の下端部（後端部）が車軸３０より若干下位置にあるため、耕耘作業時の畝立板１１は後下がり姿勢となっている。そのため、耕耘爪５により後方に送られた土が順次下方に案内されて整地される。畝均し体２２は退避姿勢となっているため、整地面には作用しない。以上により、良好な耕耘整地面にすることができる。
【００１８】
以下、本実施の形態の変形例について説明する。
本実施の形態の畝立板１１は耕耘カバー６に畝立板取付ブラケット１３を介して取り付けられる構成であるが、耕耘カバー６を車軸３０の高さ位置まで延長して畝立板１１を取り付けても良い。
【００１９】
また、本実施の形態の畝形成部Ｓは円弧状に形成し、楕円形状の畝Ｕを形成するが、台形の畝を形成する形状に形成しても良い。
【符号の説明】
【００２０】
４  走行車輪
５  耕耘爪
６  耕耘カバー
７  伝動ケース
１１  畝立板
１２  連結部材（連結フレーム）
１６  操作具
２２  畝均し体
Ｓ  畝成形部
【図１】
2015008679.tif 000003
【図２】
2015008679.tif 000004
【図３】
2015008679.tif 000005
【図４】
2015008679.tif 000006
【図５】
2015008679.tif 000007
【図６】
2015008679.tif 000008
【図７】
2015008679.tif 000009
【図８】
2015008679.tif 000010